(57)【特許請求の範囲】
【請求項１】
ソレノイド、モータ等の電動アクチュエータと、前記電動アクチュエータのＯＮ・ＯＦＦ動作により往復動する作動部材と、前記作動部材の往復動作によりパチンコ球を入賞または入賞し得ないように傾動または起立する可動翼片とを備えてなる入賞装置において、
前記作動部材は前記入賞装置を前側から見て前後に配置され前記可動翼片が連結される第一作動部材と前記電動アクチュエータが連結される第二作動部材とからなり、前記第二作動部材から突設したピンが前記第一作動部材の縦長孔に遊嵌されて上下に往復動し、前記第一作動部材の下縁にロック凹部が形成されると共に前記第二作動部材の下縁には係止片が設けられ、
前記第一作動部材と前記第二作動部材との間の下側にロック機構を設け、前記ロック機構は、鉛直面内で自在に回動しかつ下降位置にある前記第一作動部材のロック凹部に係脱自在に係合するロック部材と、前記ロック部材に隣接して鉛直面内で自在に回動しかつ下降位置にある前記第二作動部材の係止片に係合する切欠部とこのとき前記ロック凹部から前記ロック部材の係合が解かれないように該ロック部材を保持する支持片とを有する係留部材と、からなり、
前記電動アクチュエータがＯＦＦ状態であって前記作動部材が下降位置にあるとき、前記ロック凹部に前記ロック部材が係合して前記作動部材の上昇がロックされ起立する前記可動翼片の傾動動作を阻止し、また、前記電動アクチュエータがＯＮすると、前記第二作動部材が前記第一作動部材より先に上昇し、前記第二作動部材のピンが前記第一作動部材の縦長孔の上端に達した位置で前記切欠部と前記係止片との係合が解かれると共に前記ロック凹部と前記ロック部材との係合が解かれて第一作動部材が上昇するようにしたことを特徴とするパチンコ機の入賞装置。
【発明の詳細な説明】
【０００１】
【発明の属する技術分野】
本発明は、ソレノイド、モータ等の電動アクチュエータと、該電動アクチュエータのＯＮ・ＯＦＦ動作により往復動する連動部材と、該連動部材の往復動作により傾動または起立してパチンコ球を入賞または入賞し得ないようにする可動翼片とを備えてなる入賞装置に関するものである。
【０００２】
【従来の技術】
従来、パチンコ機の遊技盤面上には、種々の形態の入賞装置が設けられている。例えば、ソレノイド、モータ等の電動アクチュエータと、該電動アクチュエータのＯＮ・ＯＦＦ動作により往復動する連動部材と、該連動部材の往復動作により傾動または起立してパチンコ球を入賞または入賞し得ないようにする可動翼片とを備えた入賞装置がある。この入賞装置によれば、一定の条件を満たしたとき電動アクチュエータがＯＮ動作し、これにより連動部材が往動すると共に可動翼片が傾動してパチンコ球を入賞し得るようにしており、また、電動アクチュエータのＯＦＦ動作により連動部材が復動して可動翼片が起立した状態を維持しパチンコ球を入賞し得ないようにしている。
【０００３】
【発明が解決しようとする課題】
しかしながら、前記パチンコ機の入賞装置にあっては、電動アクチュエータがＯＦＦ状態のとき可動翼片を強制的に傾動させると、連動部材と共に電動アクチュエータもが作動して結果的に可動翼片が開いてしまう構造であることから、例えば針金のようなものをガラス枠内に差し込んで可動翼片を故意に開けようとすると簡単に開いてしまい、このため、パチンコ球を不正に入球させ多くの賞球を得ようとする不正行為が行なわれるおそれがあった。
そこで、本発明はこのような不正行為を未然に防止することを目的とするものである。
【０００４】
【課題を解決するための手段】
かかる目的を達成するため、本発明のパチンコ機の入賞装置は、ソレノイド、モータ等の電動アクチュエータと、該電動アクチュエータのＯＮ・ＯＦＦ動作により往復動する作動部材と、該作動部材の往復動作によりパチンコ球を入賞または入賞し得ないように傾動または起立する可動翼片とを備えてなる入賞装置において、前記作動部材を互いに連動する第一作動部材と第二作動部材とにより形成すると共に可動翼片を第一作動部材と連結し、前記各第一・二作動部材間には、電動アクチュエータがＯＦＦの状態のとき前記各第一・二作動部材と係脱自在に係合して可動翼片の無用な傾動動作を阻止しかつ電動アクチュエータがＯＮ動作するときは第二作動部材との係合を解いて第一作動部材との係合を解き可動翼片が傾動できるロック機構を設けた構成よりなる。
【０００５】
そこで、電動アクチュエータがＯＮ動作すると、ロック機構と第二作動部材との係合が解かれ、次いで第一作動部材との係合も解かれて可動翼片が傾動する。一方、電動アクチュエータがＯＦＦ状態のとき、可動翼片が故意に傾動されようとするとロック機構と各第一・二作動部材とが係合されたままとなって、可動翼片の無用な傾動動作が阻止される。これにより不正行為が未然に防止されることとなる。
【０００６】
前記ロック機構としては、例えば、第一作動部材に設けられたロック凹部と係脱自在に係合するロック部材と、第二作動部材の係止片と係脱自在に係合する切欠部を有しかつ前記係止片と切欠部とが係合することによりロック部材の係合状態を保持する係留部材、とからなる構成とすることが好ましい。
【０００７】
【発明の実施の形態】
次に、本発明に係るパチンコ機の入賞装置の実施の形態を図面を参照して説明する。図１は本発明が適用される遊技盤の正面図、図２はパチンコ機の入賞装置の部分断面正面図、図３は同概略分解斜視図、図４は同一部を分解して示す裏面斜視図をそれぞれ示す。図中１は遊技盤であり、その前面のガイドレール２で囲まれる遊技部１ａには、その略中央に本発明に係る入賞装置Ａが装着されており、その上部にドットマトリックス表示器からなる図柄変動表示装置３が設けられている。４，５，６は一般入賞口、７は前記入賞装置Ａの下方に配置された左右一対の一回開成用始動入賞口、８はその間の中央に位置する二回開成用始動入賞口である。
【０００８】
入賞装置Ａは図２，図３に示すように、取付基板９の中央に前面周囲を囲い枠１０で囲われた大開口１１が開設されると共にその上方に前記図柄変動表示装置３が装着されている。また、取付基板９の後面に前記大開口１１を囲うようにして略箱枠状の本体枠１２が設けられている。更に、該本体枠１２の後側には該本体枠１２を覆うようにして補助枠１３が装着されている。１４は該補助枠１３の後面に装着され後記するソレノイド１５を取着するための取付板である。
【０００９】
前記取付基板９の前面には、囲い枠１０と図柄変動表示装置３との間であってその左右両側に電動アクチュエータであるソレノイド１５により起立または外側に傾動して開閉する一対の可動翼片１６が設けられている。即ち、軸受部１７に回転自在に支持された回動軸１８の先端に可動翼片１６が設けられる。また、この回動軸１８は図４に示すように後方に延出されており、その後端部のクランク１９及び該クランク１９と連結される作動部材２０を介してソレノイド１５に連結される。そして、該ソレノイド１５がＯＮ・ＯＦＦ動作することにより、前記可動翼片１６が図２に実線・仮想線で示したように入賞装置Ａを開閉動させ、その開成時に遊技盤１面を流下するパチンコ球が捕捉され該入賞装置Ａ内に入り易くなるようにしている。２１は該入賞装置Ａ内に入賞したパチンコ球の通過を検知するため該入賞装置Ａの内部通過口２２に設けられた球計数スイッチである。
【００１０】
入賞装置Ａ、すなわち本体枠１２の内部空間２３は前記大開口１１を介して遊技者が透視できるようになっている。２４は内部空間２３の両側壁に設けられた回転振り分け部材、２５は床２６面の奥端部に設けられた狸の人形である。また、２７は内部空間２３に横断状に設けられ後方へ緩やかに下傾する傾斜棚で、前記球計数スイッチ２１を通過し内部空間２３に上方より流落したパチンコ球Ｂは回転振り分け部材２４の球面上の適宜間隔で設けた開口部２４ａを介して床２６面に転落するか、もしくは球面壁２４ｂに衝突し、この傾斜棚２７上面を後方へ転がって人形２５に当たり床２６面に転落する。該床２６面は前方へ緩やかに下傾しており、該床２６面に転落したパチンコ球Ｂを前方に転がらせる。そして、該床２６面の前縁中央部に特別入賞口２８が設けられ、該特別入賞口２８の両側には通常入賞口２９が設けられており、該床２６面を転がったパチンコ球Ｂは該特別入賞口２８または通常入賞口２９に入賞し得る。そして該特別入賞口２８には入賞球の通過を検出する特別入賞口スイッチ３０が設けられている。
【００１１】
なお、３１は人形２５の腹部にソレノイド３２の作動により前方に進退動するように設けられた球受ポケット、３３は該球受ポケット３１に取り込まれたパチンコ球Ｂを該人形２５の股下部に一時的に停留させるためのストッパで、図５に示すように該ストッパ３３はソレノイド３４の作動により枢支部３５を支点として傾動し、その先端３３ａが床２６面より出没し得るようになっている。
【００１２】
しかして、本発明にあっては、前記作動部材２０が別個に成形され互いに連動する第一作動部材２０ａと第二作動部材２０ｂとにより形成されている。すなわち、図４に示すように各第一・第二作動部材２０ａ，２０ｂは横長状に形成され、補助枠１３の後面に第一作動部材２０ａを前側とし二枚重なるようにして配置される。第二作動部材２０ｂは前記取付板１４の裏面に取付けられる左右一対のソレノイド１５から下方に突出するプランジャ１５ａ先端にピン３６により止着され、下縁両側に下方に突出する係止片３７が設けられる。また、前記各ピン３６は図５に示すように前方に突出し第一作動部材２０ａに開設された縦長孔３８に遊嵌されている。そして、第一作動部材２０ａの両側に設けられた横孔３９に前記クランク１９から後方へ伸びる連結ピン４０が遊嵌されて連結される。また、第一作動部材２０ａの下縁両側に互いに内側に窪むロック凹部４１が形成されている。そこで、両ソレノイド１５がＯＮ動作したとき、まず第二作動部材２０ｂが上動し所定量、すなわち前記縦長孔３８内をピン３６が移動できる距離、上がった位置で第一作動部材２０ａが遅れて上動するようになっている。
【００１３】
また、図６乃至図９に示すように前記各第一・二作動部材２０ａ，２０ｂ間には、常にこれらと係脱自在に係合するロック機構４２が設けられる。該ロック機構４２は第一・二作動部材２０ａ，２０ｂ両側の下側に配設され、内側に位置するロック部材４３とこれと隣接しその外側に位置する係留部材４４とからなり、いずれも補助枠１３と該補助枠１３の後側に適宜間隔離して取付けられるカバー板４５との間に差し渡された支軸４６により鉛直面内で回動自在に支持されている。そして、ロック部材４３に前記ロック凹部４１に係脱自在に係合する係合片４３ａが突設される。一方、係留部材４４にはその支軸４６から下方に位置してロック部材４３の下面を支承する支持片４４ａが突設され、また支軸４６から上方に前記第一作動部材２０ａの下降に伴い係止片３７が係合する切欠部４７が設けられている。
【００１４】
そこで、両ソレノイド１５がＯＦＦ状態にあるとき、図６、図８に示すように両第一・二作動部材２０ａ，２０ｂが下降位置にあって、各可動翼片１６は起立している。また、ロック凹部４１とロック部材４３の係合片４３ａとが係合し、更に切欠部４７と係止片３７とが係合して係留部材４４の支持片４４ａがロック部材４３をその下から支承して保持している。この状態では、係留部材４４，更にはロック部材４３により両第一・二作動部材２０ａ，２０ｂの上昇がロックされ、引いては可動翼片１６の無用な傾動動作が阻止されることとなる。
【００１５】
また、ソレノイド１５がＯＮ動作すると、図７，図９に示すようにまず第二作動部材２０ｂが上昇しピン３６が縦長孔３８の上端に達した位置で切欠部４７と係止片３７との係合が解かれ、係留部材４４が回動し得る状態になってから第一作動部材２０ａが上昇を始める。これにより係合片４３ａとロック凹部４１との係合が解かれ第一作動部材２０ａがそのまま第二作動部材２０ｂと共に上昇し、可動翼片１６を傾動させる。
【００１６】
本発明に係るパチンコ機の入賞装置Ａは上記構成よりなり、一回開成用始動入賞口７にパチンコ球が入賞すると両ソレノイド１５のＯＮ動作により両可動翼片１６を１回開閉動させ、二回開成用始動入賞口８にパチンコ球が入賞すると両ソレノイド１５のＯＮ動作により両可動翼片１６を２回開閉動させる。このとき該可動翼片１６によりパチンコ球が捕捉されると、そのパチンコ球Ｂは図２、図５に示すように球計数スイッチ２１により入球検出された後、傾斜棚２７上面に落下し、さらに床２６面に転落し、特別入賞口２８または通常入賞口２９に入賞する。なお、前記球受ポケット３１は、進退動を繰り返している間にタイミング良く流落し取り込まれたパチンコ球Ｂをストッパ３３により該人形２５の股下部に一時的に停留させた後、可動翼片１６の開閉動が停止すると同時に該パチンコ球Ｂを解放し、該パチンコ球Ｂを床２６面の中央線上を真っ直ぐに前方に転がらせることにより特別入賞口２８へ入賞し易くするものである。
【００１７】
特別入賞口２８に前記パチンコ球が入賞すると、特別遊技状態が開始され図柄変動表示装置３に複数の図柄が変動表示された後、偶然性をもってその内の一つの図柄に停止する。そして、その停止図柄があらかじめ設定された特別図柄であったときは、各ラウンドの特別遊技状態中における可動翼片１６の開閉動作回数が最も多い回数（例えば１８回）となり、その開閉動作回数を図柄変動表示装置３に表示させると共に可動翼片１６が最も多い回数開閉動することとなる。また、停止図柄が通常図柄で停止したときは、回数が減り（例えば１０回）、可動翼片１６がその決定回数（１０回）開閉動することとなり、その開閉動作回数を図柄変動表示装置３に表示させると共に可動翼片１６をその決定回数開閉作動させる。前記通常図柄は更に二種類に分かれており、それぞれ可動翼片１６を異なる回数開閉動することとなる。
【００１８】
このとき、両可動翼片１６に捕促され入賞したパチンコ球の数は球計数スイッチ２１により計数され、パチンコ球が所定数（１０個）入賞するかまたは可動翼片１６が上記決定回数だけ開閉動すると、その開閉動は停止し第１ラウンドは一旦は終わりとなる。しかし、この第１ラウンドの間に該可動翼片１６に捕捉されて入賞したパチンコ球の内少なくとも１個が特別入賞口２８に入賞していた場合には、続いて第２ラウンドが開始され、第２ラウンドではまたもパチンコ球が所定数（１０個）入賞するかまたは開閉回数が上記決定回数に達するまで可動翼片１６が開閉動する。そして、第２ラウンドが終わるとまたこの第２ラウンドの間にパチンコ球が特別入賞口２８に入賞していたことを条件として第３ラウンドが開始される。そして、以降も同様に前ラウンドにてパチンコ球が特別入賞口２８に入賞したことを条件として次のラウンドが継続される。なお、このような特別遊技状態の繰り返し可能な回数は最高１５回に制限され、その最高繰り返し回数に達すると特別遊技状態は終了する。また各ラウンドの途中で特別入賞口２８に入賞しなかった場合も特別遊技状態が終了する。従って特別遊技状態が最高繰り返し回数まで継続されれば、遊技者は非常に多くの景品球を獲得することができる。
【００１９】
このように、ゲーム中にソレノイド１５がＯＮ動作すると、第一・二作動部材２０ａ，２０ｂとロック機構４２との係合が解かれ第一・二作動部材２０ａ，２０ｂが往復動して、可動翼片１６を傾動または起立させる。また、例えば遊技者がパチンコ機の前面からガラス枠内の遊技盤１面に針金を侵入させて這わせ、パチンコ球が捕捉され易いように故意に可動翼片１６を傾動させようとするときは、第一作動部材２０ａとロック部材４３との係合が外れないことから、第一・二作動部材２０ａ，２０ｂは停止したままとなり、これにより可動翼片１６の無用な傾動動作が阻止される。
【００２０】
なお、本発明は前記実施の形態に示した入賞装置に限られることなく、例えば可動翼片が一個のものなど他の種類の入賞装置にも適用できること勿論である。
【００２１】
【発明の効果】
以上説明したように本発明は、電動アクチュエータと、該電動アクチュエータのＯＮ・ＯＦＦ動作により往復動する作動部材と、該作動部材の往復動作によりパチンコ球を入賞または入賞し得ないように傾動または起立する可動翼片とを備えてなる入賞装置において、前記作動部材を互いに連動する第一作動部材と第二作動部材とにより形成すると共に可動翼片を第一作動部材と連結し、前記各第一・二作動部材間には、電動アクチュエータがＯＦＦ状態のとき前記各第一・二作動部材と係脱自在に係合して可動翼片の無用な傾動動作を阻止しかつ電動アクチュエータがＯＮ動作するときは第二作動部材との係合を解いて第一作動部材との係合を解き可動翼片が傾動できるロック機構を設けた構成よりなるので、電動アクチュエータがＯＦＦ状態のとき、可動翼片を故意に傾動させようとしても阻止され、これによりパチンコ球を不正に入球させ多くの賞球を得ようとする不正行為が防止される。
【図面の簡単な説明】
【図１】  本発明が適用される遊技盤の正面図。
【図２】  パチンコ機の入賞装置の部分断面正面図。
【図３】  同概略分解斜視図。
【図４】  同一部を分解して示す裏面斜視図。
【図５】  同側面断面図。
【図６】  作用を示す要部の斜視図。
【図７】  作用を示す要部の斜視図。
【図８】  作用を示す要部の正面図。
【図９】  作用を示す要部の正面図。
【符号の説明】
１５          電動アクチュエータ（ソレノイド）
１６          可動翼片
２０          作動部材
２０ａ        第一作動部材
２０ｂ        第二作動部材
３６          ピン
３７          係止片
３８          縦長孔
４１          ロック凹部
４２          ロック機構
４３          ロック部材
４４          係留部材
４４ａ        支持片
４７          切欠部
Ａ            入賞装置
【図１】
0004063477.tif 000002
【図２】
0004063477.tif 000003
【図３】
0004063477.tif 000004
【図４】
0004063477.tif 000005
【図５】
0004063477.tif 000006
【図６】
0004063477.tif 000007
【図７】
0004063477.tif 000008
【図８】
0004063477.tif 000009
【図９】
0004063477.tif 000010